(57)【特許請求の範囲】
【請求項１】
天板の両端部に、天板下面に略平行に折り畳んだ折畳位置と天板下面に対し所要角度開脚した開脚位置との間で開閉可能な脚体を回転連結金具を介して取り付け、この回転連結金具を、天板側に固定した固定側連結板と脚体側に固定した可動側連結板とを枢支軸により回動可能に連結して構成すると共に、ロックピンによって脚体を折畳位置及び開脚位置に夫々固定するようにした作業台において、前記ロックピンを天板の左右両端部側壁の中空状主枠部の夫々外側下面に配設してなることを特徴とする作業台。
【発明の詳細な説明】
【０００１】
【発明の属する技術分野】
本発明は、作業台に関するもので、特に、天板の両端部に、天板下面に略平行に折り畳んだ折畳位置と天板下面に対し所要角度開脚した開脚位置との間で開閉可能な脚体を回転連結金具を介して取り付けてなる作業台に関する。
【０００２】
【従来の技術】
この種の作業台としては、例えば実用新案登録第２５９５９７８号公報に記載されている。この作業台では、回転連結金具を、天板側に固定した固定側連結板と脚体側に固定した可動側連結板とを枢支軸により回動可能に連結して構成すると共に、枢支軸を中心とする可動側連結板の所要回転位置で両連結板を貫通するロックピンによって脚体を折畳位置と開脚位置に固定するようにしている。
【０００３】
【発明が解決しようとする課題】
上記従来の作業台にあっては、脚体を折畳位置と開脚位置に固定するためのロックピンが天板の両端部側壁の夫々内側に取り付けられていることから、次のような問題点があった。
▲１▼．天板の両端部側壁のロックピン取付部分に土砂等の異物が混入した場合、ロックピンの操作に支障を来すため、異物を除去し排出する必要があるが、その異物の排出が困難で、異物の排出作業に手間がかかる。
▲２▼．ロックピンの操作位置が確認し難い。
▲３▼．ロックピンの動作及び破損の状況が確認し難い。
▲４▼．ロックピンが破損した時に交換及び修理がやり難い。
【０００４】
本発明は、上記の問題点に鑑み、ロックピン取付部分に土砂等の異物が混入した場合にその異物の外部排出が容易であると共に、ロックピンの操作位置の確認ならびにロックピンの動作及び破損状況の確認が容易となり、更にロックピン破損時の交換及び修理が容易となる作業台を提供することを目的とする。
【０００５】
【課題を解決するための手段】
請求項１に係る発明は、天板１の両端部に、天板１下面に略平行に折り畳んだ折畳位置と天板１下面に対し所要角度開脚した開脚位置との間で開閉可能な脚体２を回転連結金具３を介して取り付け、この回転連結金具３を、天板１側に固定した固定側連結板１１と脚体２側に固定した可動側連結板１２とを枢支軸１０により回動可能に連結して構成すると共に、ロックピン１３によって脚体２を折畳位置及び開脚位置に夫々固定するようにした作業台において、前記ロックピン１３を天板１の左右両端部側壁５の中空状主枠部５ａの夫々外側下面に配設してなることを特徴とする。
【０００７】
【発明の実施の形態】
図１の（Ａ）は本発明に係る作業台の正面図、（Ｂ）は側面図である。この作業台は、天板１の左右両端部に、天板１下面に略平行に折り畳んだ折畳位置と天板１下面に対し所要角度開脚した開脚位置との間で開閉可能な脚体２，２を回転連結金具３を介して取り付けてなるものである。図２は図１の（Ａ）における矢印Ｘで示す部分の拡大図で、脚体２が開脚位置にある状態を示し、図３は同様な拡大図で、脚体２が折り畳まれて折畳位置にある状態を示す。
【０００８】
天板１は、天板本体４と、この天板本体４の左右両端部に固着された押し出し型材よりなる端部枠（端部側壁）５，５とによって形成される。この天板１の天板本体４としては、足場板が使用される他、天板長手方向に沿う複数の型材を天板幅方向に並列させて組み合わせ接合することによって形成される。各脚体２は、一対の側枠６，６と、両側枠６，６間に横架された複数の踏杆７…とからなるもので、各側枠６の下部には伸縮脚８が出退自在に設けられ、この伸縮脚８はロック手段によって所要位置で固定できるようになっている。このロック手段の操作部を図１の（Ｂ）に９で示す。回転連結金具３は、天板１側に固定した固定側連結板１１と脚体２側に固定した可動側連結板１２とを枢支軸１０により回動可能に連結して構成すると共に、ロックピン１３によって脚体２を折畳位置及び開脚位置に夫々固定するようにしたものである。
【０００９】
上記回転連結金具３について詳細に説明すると、図２に示すように、天板１側に固定される固定側連結板１１の外側に、脚体２側に固定される可動側連結板１２を一部重合させた状態で、これら固定側連結板１１と可動側連結板１２とを枢支軸１０によって回動可能に連結する。固定側連結板１１は、天板１の左右各端部において端部枠５とこれに隣接する天板本体４部分とに亘るそれらの前後端面側にビスａ及びブラインドリベットｂによって取り付けられるもので、端部枠側取付部１１ａと天板本体側取付部１１ｂとからなり、端部枠側取付部１１ａの下端縁に当たり面１４が形成されると共に、この端部枠側取付部１１ａの下端縁と天板本体側取付部１１ｂの下端縁とが合流する部分には枢支軸１０が貫通する略Ｖ字状の枢支用突部１１ｃが下向きに突出形成されている。
【００１０】
可動側連結板１２は、脚体２を形成する側枠６の上端部外側面にブラインドリベットｂによって取り付けられるもので、側枠取付部１２ａと、この側枠取付部１２ａの上端の天板１中央部側の一側から斜め上方に突出形成された略扇形の連結部１２ｂとからなり、側枠取付部１２ａ上端の他側は、Ｌ字状に折り曲げられて、脚体２の開脚状態で固定側連結板１１の下端の当たり面１４が当接してそれ以上の回動を阻止する当たり面１５を形成しており、扇形連結部１２ｂの要部分に枢支軸１０が貫通されている。尚、可動側連結板１２の側枠取付部１２ａは、外開き状に形成された脚体２の側枠６に沿うように連結部１２ｂに対して屈曲線１２ｃ及び傾斜連結部１２ｄにて少し屈曲して連設されている。前記枢支軸１０はボルトからなる。
【００１１】
固定側連結板１１の端部枠側取付部１１ａの下部には、枢支軸１０から斜め上方に適当距離をおいた位置にピン穴１６が形成されている。このピン穴１６から可動側連結板１２に向けて突出するように付勢された前記ロックピン１３が、天板１の端部枠５の外側に配設され、可動側連結板１２の連結部１２ｂには脚体２の開脚位置と折畳位置とで夫々固定側連結板１１側のピン穴１６と合致してロックピン１３が突入係合する係合穴１７，１８が形成されている。
【００１２】
図４は、図３のＹ−Ｙ線に沿った縮小断面図であり、天板１の端部の底面側を回転連結金具３と共に示す。図５は、天板１の端部の拡大縦断面図、図６は、天板１の端部を回転連結金具３と共に示す斜視図である。図５から分かるように、天板本体４の左右端部に固着される押し出し型材製の端部枠（端部側壁）５は、外面上部側が湾曲状を成す中空状の主枠部５ａと、天板本体４の端部に嵌挿される上下一対の取付板部５ｂ，５ｃとからなり、主枠部５ａの下面と下部取付板部５ｃの基端部との間には断面略三角形状の凹条部１９が形成されている。
【００１３】
また、図４〜図６から分かるように、前記ロックピン１３は、長手状のピン本体１３ａとこれより短い操作用把手部１３ｂとで略Ｌ字状に形成されたもので、天板本体４の端部枠５の主枠部５ａ下面に端部枠５長手方向中央部位を挟んでその両側対称位置に一対配設し（図４参照）、そして各ロックピン１３のピン本体１３ａを端部枠５の主枠部５ａ下面と下部取付板部５ｃとの間の凹条部１９に沿うように配置して、主枠部５ａ下面にブラインドリベットｂで取り付けたピン受け２０により回転自在にして且つ軸方向移動自在に支持すると共に、ピン本体１３ａとピン受け２０との間に介装した圧縮コイルバネ２１によって、ピン本体１３ａをこれの先端部１３ｏが固定側連結板１１のピン穴１６から外方へ突出するように付勢している。
【００１４】
このロックピン１３を固定側連結板１１のピン穴１６から可動側連結板１２の係合穴１７又は１８に突入係合させるときは、両ロックピン１３，３の把手部１３ｂ，１３ｂを同時に掴んで図４の仮想線図示のように引き寄せて、ピン先端部１３ｏを可動側連結板１２のピン穴１７又は１８から固定側連結板１１のピン穴１６内に引っ込めた状態とし、この状態で可動側連結板１２側を回動して固定側連結板１１のピン穴１６と可動側連結板１２の係合穴１７又は１８とを合致させた後、把手部１３ｂ，１３ｂの掴持力を解放すれば、圧縮コイルバネ２１の付勢力によって、各ロックピン１３の先端部１３ｏが固定側連結板１１のピン穴１６から可動側連結板１２の係合穴１７又は１８に突入係合し、脚体２を開脚位置又は折畳位置に固定する。
【００１５】
上述したような構成を有する作業台において、脚体２を天板１の下面に略平行に折り畳んだ折畳位置では、図３に示すように、固定側連結板１１のピン穴１６を貫通したロックピン１３が圧縮コイルバネ２１により突出付勢されて、可動側連結板１２の係合穴１８に突入係合し、この状態で脚体２がロックされているので、作業台の運搬時等に脚体２がふらつくようなことがなく、取扱いが容易となる。
【００１６】
作業台の使用時には、図４に示すように両ロックピン１３，３の把手部１３ｂ，１３ｂを同時に掴んで矢印ｈで示す方向に引き寄せて仮想線図示のような状態とすることにより、ロックピン１３が可動側連結板１２の係合穴１８から離脱してロックが解除され、脚体２を開くことができる。開脚状態になると、固定側連結板１１と可動側連結板１２との当たり面１４，１５が互いに当接すると共に、突出付勢されたロックピン１３の先端部１３ｏが図２に示すように可動側連結板１２の係合穴１７に突入係合し、その開脚位置にロックされる。
【００１７】
以上説明した本発明に係る作業台にあっては、脚体２を折畳位置及び開脚位置にロックするロックピン１３が、天板本体４の左右両端部に固着された端部枠（端部側壁）５の夫々外側に配設されていることから、作業台の使用中に土砂等の異物がロックピン１３の配設箇所に混入してロックピン１３やその周辺に付着残存しても、掃除がし易く、簡単容易に除去できて外部へ排出することができる。またロックピン１３が端部枠５の外側に配設されていることにより、ロックピン１３の操作位置が確認し易く、ロックピン１３の動作状態及び破損状態の確認が容易となり、またロックピン１３が破損した時の交換及び修理が容易となる。
【００１８】
そして特にこの作業台において、ロックピン１３は、天板本体４の左右各端部に設けられた端部枠（端部側壁）５の中空状主枠部５ａの下面に配設されているから、ロックピン配設箇所への土砂等異物の混入を最小限に抑えることができ、またロックピン１３及びその取付部材に対して外力が作用し難く、したがってそれらの破損を極力回避できる。またロックピン１３が端部枠５の下面に配設されることによって、作業者に障害を与えるような突起部分が露出し難く、作業の安全性を図ることができる。
【００１９】
また、上記の安全性に関して、端部枠（端部側壁）５の主枠部５ａ下面と下部取付板部５ｃの基端部との間に断面略三角形状の凹条部１９が形成されていて、この凹条部１９にロックピン１３が配設されているから、作業者に障害を与えるような突起部分がほとんど露出することがなく、したがってより一層作業の安全性を図ることができる。
【００２０】
【発明の効果】
請求項１に係る発明の作業台によれば、ロックピンを天板の両端部側壁の夫々外側に配設しているから、作業台の使用中に土砂等の異物がロックピンの配設箇所に混入して、ロックピンやその周辺に付着残存しても、掃除がし易く、異物を簡単容易に除去できて外部へ排出することができ、またロックピンの操作位置が確認し易く、ロックピンの動作状態及び破損状態の確認が容易となり、またロックピンが破損した時の交換及び修理が容易となる。
【００２１】
また、本発明の作業台によれば、ロックピンを天板両端部側壁の中空状主枠部の夫々下面に配設するようにしたため、ロックピン配設箇所への土砂等異物の混入を最小限に抑えることができ、またロックピン及びその取付部材に対して外力が作用し難く、したがってそれらの破損を極力回避でき、更には作業者に障害を与えるような突起部分が露出し難く、作業の安全性を図ることができる。
【図面の簡単な説明】
【図１】（Ａ）は本発明の作業台の正面図、（Ｂ）は側面図である。
【図２】図１の（Ａ）における矢印Ｘで示す部分の拡大正面図で、脚体が開脚位置にある状態を示す。
【図３】脚体が折畳位置にある状態を示す図２と同様な正面図である。
【図４】図３のＹ−Ｙ線に沿った縮小断面図である。
【図５】天板の端部の拡大縦断面図である。
【図６】天板の端部を回転連結金具と共に示す斜視図である。
【符号の説明】
１              天板
２              脚体
３              回転連結金具
４              天板本体
５              端部枠（端部側壁）
１０            枢支軸
１１            固定側連結板
１２            可動側連結板
１３            ロックピン
１６            固定側連結板側に設けられたピン穴
１７，１８      可動側連結板側に設けられた係合穴
【図１】
0003574390.tif 000002
【図２】
0003574390.tif 000003
【図３】
0003574390.tif 000004
【図４】
0003574390.tif 000005
【図５】
0003574390.tif 000006
【図６】
0003574390.tif 000007